(57)【要約】【課題】  ゲームプログラムを進行させるためのコンテンツ情報を表示するウェブサイトへのアクセスを増加させ、当該ウェブサイトの広告効率を向上させることができるウェブサイトへのアクセスシステムを提供することにある。【解決手段】  端末装置が、広告を盛り込んだゲームを実現するゲームプログラムと、ウェブサイトに接続し各種コンテンツ情報を表示可能なリンク手段とを有し、ゲームプログラムを進行させるためのコンテンツ情報を表示するウェブサイトを構成するウェブサーバを備えることを特徴とする。【選択図】図１
2010122582.tif 000002
【特許請求の範囲】
【請求項１】
電気通信回線を介して双方向で情報の送受信が可能な端末装置のコンテンツを介したウェブサイトへのアクセスシステムにおいて、
該端末装置が、広告を盛り込んだゲームを実現するゲームプログラムと、ウェブサイトに接続し各種コンテンツ情報を表示可能なリンク手段とを有し、
該ゲームプログラムを進行させるための該コンテンツ情報を表示するウェブサイトを構成するウェブサーバを備えることを特徴とするウェブサイトへのアクセスシステム。
【請求項２】
前記ゲームプログラムが、前記ウェブサーバ又は他のウェブサーバ上に保存され、前記電気通信回線を介して前記端末装置でダウンロード可能なことを特徴とする請求項１記載のウェブサイトへのアクセスシステム。
【請求項３】
前記ゲームプログラムを進行させるためのコンテンツ情報が、広告情報であることを特徴とする請求項１又は請求項２記載のウェブサイトへのアクセスシステム。
【請求項４】
前記ウェブサーバ又は前記他のウェブサーバが、前記ゲームプログラムを進行させるためのコンテンツ情報に関連する商品を、前記電気通信回線を通じて前記端末装置から発注可能な発注手段を備えることを特徴とする請求項１〜請求項３のいずれかに記載のウェブサイトへのアクセスシステム。
【請求項５】
前記ウェブサーバ又は前記他のウェブサーバが、前記ゲームプログラムを進行させるためのコンテンツ情報に関連する懸賞賞品に、前記電気通信回線を通じて前記端末装置から応募可能な応募手段を備えることを特徴とする請求項１〜請求項４のいずれかに記載のウェブサイトへのアクセスシステム。
【請求項６】
前記ウェブサーバ又は前記他のウェブサーバが、前記ゲームプログラムを進行させるためのコンテンツ情報に関連するアンケートに、前記電気通信回線を通じて前記端末装置から回答可能なアンケート手段を備えることを特徴とする請求項１〜請求項５のいずれかに記載のウェブサイトへのアクセスシステム。
【発明の詳細な説明】
【技術分野】
【０００１】
本発明は、ゲームプログラムを介してのウェブサイトへのアクセスシステムに関する。
【背景技術】
【０００２】
従来より、電気通信回線を介してゲームプログラムを端末装置にダウンロードし、そのゲームプログラムを実行する際に、ゲームプログラムの進行に合わせてサービスサイトから端末装置に所定のイベント情報を提供すると共に、イベントに関連した商品情報その擬似購入体験を提供するようにしたものがある（特許文献１）。
【特許文献１】特開２００２−１８２５９９号公報
【発明の開示】
【発明が解決しようとする課題】
【０００３】
しかしながら、従来のゲームプログラムを介したイベント情報や商品情報の提供では、これら情報がゲームプログラムと関連性がなかったり、関連性があってもゲームプログラムの進行自体には影響がないため、これら情報の活用が十分になされていない。
【０００４】
本発明は、このような事情に鑑みてなされたもので、ゲームプログラムを進行させるためのコンテンツ情報を表示するウェブサイトへのアクセスを増加させ、当該ウェブサイトの広告効率を向上させることができるウェブサイトへのアクセスシステムを提供することにある。
【課題を解決するための手段】
【０００５】
請求項１記載のウェブサイトへのアクセスシステムは、端末装置が、広告を盛り込んだゲームを実現するゲームプログラムと、ウェブサイトに接続し各種コンテンツ情報を表示可能なリンク手段とを有し、ゲームプログラムを進行させるためのコンテンツ情報を表示するウェブサイトを構成するウェブサーバを備えることを特徴とする。
【０００６】
請求項２記載のウェブサイトへのアクセスシステムは、ゲームプログラムが、ウェブサーバ又は他のウェブサーバ上に保存され、電気通信回線を介して端末装置でダウンロード可能なことを特徴とする。
【０００７】
請求項３記載のウェブサイトへのアクセスシステムは、ゲームプログラムを進行させるためのコンテンツ情報が、広告情報であることを特徴とする。
【０００８】
請求項４記載のウェブサイトへのアクセスシステムは、ウェブサーバ又は他のウェブサーバが、ゲームプログラムを進行させるためのコンテンツ情報に関連する商品を、電気通信回線を通じて端末装置から発注可能な発注手段を備えることを特徴とする。
【０００９】
請求項５記載のウェブサイトへのアクセスシステムは、ウェブサーバ又は他のウェブサーバが、ゲームプログラムを進行させるためのコンテンツ情報に関連する懸賞賞品に、電気通信回線を通じて端末装置から応募可能な応募手段を備えることを特徴とする。
【００１０】
請求項６記載のウェブサイトへのアクセスシステムは、ウェブサーバ又は他のウェブサーバが、ゲームプログラムを進行させるためのコンテンツ情報に関連するアンケートに、電気通信回線を通じて端末装置から回答可能なアンケート手段を備えることを特徴とする。
【発明の効果】
【００１１】
請求項１の発明によれば、ゲームプログラムを進行させるためには、ゲームプログラムを進行させるためのコンテンツ情報を表示するウェブサイトにアクセスする必要があり、このウェブサイトのアクセスを増加させることができる。
【００１２】
請求項２の発明によれば、ゲームプログラムが、ウェブサーバ又は他のウェブサーバ上に保存され、電気通信回線を介して端末装置でダウンロード可能なことから、内容を改変したゲームプログラムを提供しやすく、ゲームプログラムを進行させるためのコンテンツ情報を表示するウェブサイトも適宜変更でき、バリエーションに富んだウェブサイトのアクセスが可能となる。
【００１３】
請求項３の発明によれば、ゲームプログラムを進行させるためのコンテンツ情報が、広告情報であることから、ゲームプログラムを進行させるためのコンテンツ情報を表示するウェブサイトのアクセスを増やし、広告効率を向上させることができる。
【００１４】
請求項４の発明によれば、ゲームプログラムを進行させるためのコンテンツ情報に関連する商品を、電気通信回線を通じて端末装置から発注可能な発注手段を備えることから、ゲームプログラムを進行する中で興味を持った商品を容易に購入することができる。
【００１５】
請求項５の発明によれば、ゲームプログラムを進行させるためのコンテンツ情報に関連する懸賞賞品に、電気通信回線を通じて端末装置から応募可能な応募手段を備えることから、懸賞への応募が容易となる。
【００１６】
請求項６の発明によれば、ゲームプログラムを進行させるためのコンテンツ情報に関連するアンケートに、電気通信回線を通じて端末装置から回答可能なアンケート手段を備えることから、アンケートへの回答が容易となる。
【発明を実施するための最良の形態】
【００１７】
以下、本発明の形態について図面を参照しながら具体的に説明する。本発明の形態におけるウェブサイトへのアクセスシステムは、電気通信回線を介して双方向で情報の送受信が可能な端末装置のコンテンツを介した情報交換や情報告知のためのものである。図１は、本発明に係るウェブサイトへのアクセスシステムの一例を示す構成図である。図２は、同ウェブサイトへのアクセスシステムの画面の構成を示す説明図である。図３は、同ウェブサイトへのアクセスシステムの動作を示す説明図である。
【００１８】
図において、ウェブサイトへのアクセスシステム１は、ネットワーク接続３によりに接続された端末装置５、ネットワーク接続３により接続されたゲームサーバ７、ネットワーク接続３により接続されたリンク先サーバ９により構成されている。ネットワーク接続３は、双方向で情報交換が可能な電気通信回線による接続であって、具体的には、例えばインターネット回線、電話の公衆網、携帯電話網、ＰＨＳ網、専用回線等による接続であり、インターネットを介さずに接続される場合も含み、特に限定されるものではない。
【００１９】
端末装置５は、情報通信端末で、ネットワーク接続３を介して双方向で情報交換が可能な端末で、後述するゲームプログラムが動作するものである。端末装置５としては、例えば、パーソナルコンピュータ、携帯電話、ＰＤＡ（Personal Digital Assistant）、携帯ゲーム機、携帯音楽プレーヤー等があるが、これらに限られるものではない。ゲームプログラムとは、端末装置５で動作可能なゲームで、特に本実施の形態のゲームプラグラムは、ゲーム中の図画やストーリーに商品や企業の広告を盛り込んだもので、広告宣伝媒体としてのゲームである。
【００２０】
尚、端末装置５のゲームプログラムの取得は、ネットワーク接続３を介して行ってよいし、パッケージソフトウェアのようにオフラインで取得するようにしてもよい。また、ネットワーク接続３を介して行う場合も、ゲームプログラムを一括してダウンロードしてもよいし、ホームページを介して、適宜ダウンロードしながら（ホームページに接続しながら）ゲームを進める形態であってもかまわず、形態によって制限されるものではない。図１の構成では、ネットワーク接続３を介してゲームサーバ７が接続され、このゲームサーバ７に、ゲームプログラムが収納されており、端末装置５の求めに応じて、適宜そのゲームプログラムが、端末装置５に送られることになる。ゲームサーバ７は、すなわち、ゲームプログラムが保存されたウェブサーバである。
【００２１】
リンク先サーバ９は、各種のコンテンツ情報を表示するウェブサイトを構成するウェブサーバであり、本実施の形態では、特に、広告を盛り込んだゲームを実現するゲームプログラムを進行させるためのコンテンツ情報を表示させるためのものである。尚、図１では、ゲームサーバ７とリンク先サーバ９とを別のウェブサーバとして示しているが、同一のウェブサーバで実現するようにしてもよい。
【００２２】
次の本実施の形態のウェブサイトへのアクセスシステム１の動作を説明する。尚、以降の説明におけるゲームプログラムは、ゲームサーバ７で表示可能に構成されるウェブサイト上で表示及び進行されるもので、ネットワーク接続３を介して端末装置５からゲームサーバ７に接続し、インターネット上でゲームを進めるものである。そして、端末装置５には、ゲームサイト（ゲームプログラム）のゲーム画面１０が表示される。
【００２３】
また、以降で説明するゲームプログラムは、例えば地域（その土地）の歴史や風土を題材にしたもので、その題材を遊びながら学んでいくようなものである。具体的には、地域の特色を反映したストーリーづくりでゲームが進行するアドベンチャー型のもので、例えば実在するロケーションを歩き回るようなイメージである。
【００２４】
まず、ゲームユーザーは、図３に示すように、地域の特徴を反映したストーリーづくりがされた内容のゲーム画面１０で、実在するロケーションを歩き回るような感覚でゲームを進めていく。そして、ゲームを進める中で、ゲーム画面１０で、その土地の歴史や風土にまつわる質問が表示され、ゲームユーザーは、その質問に答えながらゲームを進めていく。しかし、実際には、その地域の情報をゲームユーザーが知り得ているとは限らず、ゲームユーザーは、質問の答えとなる情報を求めて、その地域の市町村等が解説するウェブサイトにアクセスすることになる。このように、端末装置５には、ゲームを進行させるためのコンテンツ情報を表示するウェブサイトを表示可能とするリンク手段が必要となる。
【００２５】
尚、リンク手段としては、ゲームプログラムのゲーム画面１０から直接リンクを貼ることもできるし、単にゲーム画面１０とは別に、該当する市のホームページ画面（リンク先画面）２０を表示させるようにしてもよい。図２では、該当する市のホームページ画面（リンク先画面）２０を表示した場合を示している。このリンク先画面２０上に、直接ゲームを進行させるためのコンテンツ情報を表示するようにしてもよい。また、図２のように、さらにバナー広告部２２を設け、バナーをクリックすることにより、ゲームを進行させるためのコンテンツ情報をまとめた特設ページ３０にリンクさせるようにしてもよい。特設ページ３０には、例えば、ゲームを進行させるためのコンテンツ情報を集めた特設ページ画面Ａ３２を設け、その画面の中で地域の歴史や風土を説明するようにしている。
【００２６】
ゲームユーザーは、リンク先である特設ページ画面Ａ３２から、ゲームを進めるためのヒントを得て、そのコンテンツ情報をゲーム画面１０に入力することによりゲームを進行させていく。尚、ゲームプログラムは、誰もが気軽に遊べる適度なゲーム性（難易度）とデザインにすることが好ましく、また、感動のエンディングになるように構成するのが好ましい。
【００２７】
以上のように、本実施の形態のウェブサイトへのアクセスシステム１によれば、ゲームプログラムを進行させるためには、ゲームプログラムを進行させるためのコンテンツ情報を表示するウェブサイトにアクセスする必要があり、このウェブサイトのアクセスを増加させることができる。本実施の形態のように、リンク先のウェブサイトが地域（例えば市）のものである場合には、地元の人しか知らないようなその土地の魅力を発信したり、実際のその地域に行きたくなるような内容や、その地域の物を買いたくなるような工夫をした表示を行うことで、より一層、ウェブサイトへのアクセスを増加させることが可能となる。そして、そのアクセスにより、特産品の販売アップや、観光客の増加等を図ることが可能となる。
【００２８】
また、上述のように、ゲームプログラムをネットワーク接続３を介して端末装置５でダウンロード可能にすることで、内容を改変したゲームプログラムを提供しやすく、ゲームプログラムを進行させるためのコンテンツ情報を表示するウェブサイトも適宜変更でき、バリエーションに富んだウェブサイトのアクセスが可能となる。
【００２９】
尚、上記の説明では、ゲームプログラムとして、地域の特色を反映したストーリーづくりでゲームが進行するアドベンチャー型のものとしたが、その形態により制限されるものではない。例えば、ゲームプログラムを進行させるためのコンテンツ情報を、商品やサービスの広告情報にすることで、ゲームプログラムを進行させるためのコンテンツ情報を表示するウェブサイトのアクセスを増やし、商品やサービスの広告効率を向上させることができる。
【００３０】
また、ゲームプログラムを進行させるためのコンテンツ情報に関連する商品をネットワーク接続３を通じて端末装置５から発注可能な発注手段を設けて購入することができるようにすることも可能で、ゲームプログラムを進行する中で興味を持った商品を容易に購入することができる。
【００３１】
さらに、図２に示すように、ゲームプログラムを進行させるためのコンテンツ情報に関連する懸賞賞品（図２の場合は、お茶）にネットワーク接続３を通じて端末装置５から応募可能な応募手段を設けることで、懸賞への応募が容易となり、コンテンツ情報により一層興味を持ってもらうことが可能となる。本実施の形態のように、地域の特産品等を懸賞賞品としたような場合には、特産品の販売アップや、観光客の増加等を図ることが可能となる。
【００３２】
さらに、ゲームプログラムを進行させるためのコンテンツ情報に関連するアンケートにネットワーク接続３を通じて端末装置５から回答可能なアンケート手段を備えることで、アンケートへの回答が容易となり、アンケートの回答率を向上させることが可能となる。
【産業上の利用可能性】
【００３３】
以上のように、ゲームプログラムを進行させるためのコンテンツ情報を表示するウェブサイトへのアクセスを増加させ、当該ウェブサイトの広告効率を向上させることができるウェブサイトへのアクセスシステムを提供することができる。
【図面の簡単な説明】
【００３４】
【図１】本発明に係るウェブサイトへのアクセスシステムの一例を示す構成図である。
【図２】同ウェブサイトへのアクセスシステムの画面の構成を示す説明図である。
【図３】同ウェブサイトへのアクセスシステムの動作を示す説明図である。
【符号の説明】
【００３５】
１・・・・ウェブサイトへのアクセスシステム
３・・・・ネットワーク接続
５・・・・端末装置
７・・・・ゲームサーバ
９・・・・リンク先サーバ
１０・・・ゲーム画面
２０・・・リンク先画面
２２・・・バナー広告部
３０・・・特設ページ
３２・・・特設ページ画面Ａ
３４・・・特設ページ画面Ｂ
【図１】
2010122582.tif 000003
【図２】
2010122582.tif 000004
【図３】
2010122582.tif 000005